(57)【要約】【課題】ＩＣタグからの記憶情報の読み取りや、ＩＣタグへの情報の書き込みが安定して行えるマンホール蓋を提供する。【解決手段】マンホール蓋Ｍは、蓋体１の表面に情報記憶媒体としてＩＣタグ２０を固定してあり、蓋体１はＩＣタグ２０を収容する凹部１０と、この凹部を巻回する外周壁部として円周壁部１３とを備えており、円周壁部１３には、鉛直方向に少なくとも１つの切欠き部１４が形成されている。ＩＣタグ２０は円盤状であり、外周壁部はＩＣタグの外周を巻回する円周壁部１３であり、円周壁部の複数個所に切欠き部１４，１４…が形成されていることが好ましい。【選択図】図６
0003120371.tif 000002
【実用新案登録請求の範囲】
【請求項１】
蓋体の表面に情報記憶媒体を固定したマンホール蓋であって、
前記蓋体は、前記情報記憶媒体を収容する凹部と、該凹部を巻回する外周壁部とを備えており、該外周壁部には、鉛直方向に少なくとも１つの切欠き部が形成されていることを特徴とするマンホール蓋。
【請求項２】
前記情報記憶媒体は円盤状であり、前記外周壁部は円盤状情報記憶媒体の外周を巻回する円周壁部であり、該円周壁部の複数個所に前記切欠き部が形成されていることを特徴とする請求項１に記載のマンホール蓋。
【請求項３】
前記情報記憶媒体は、前記凹部に弾性を有する接着剤で固定されていることを特徴とする請求項１または２に記載のマンホール蓋。
【請求項４】
前記情報記憶媒体は、前記蓋体の凹部に収容固定された状態で、前記外周壁部の表面と同一面あるいは前記外周壁部の表面より凹んでいることを特徴とする請求項１〜３のいずれかに記載のマンホール蓋。
【考案の詳細な説明】
【技術分野】
【０００１】
本考案は、道路等の地下に埋設された下水管等の管渠に連通するマンホールの開口を閉じるマンホール蓋に係り、特に、管渠に関する情報等を格納した情報記憶媒体を設置固定したマンホール蓋に関する。
【背景技術】
【０００２】
従来、下水道情報やマンホールの位置やメンテナンスの履歴情報等が記憶されたＲＦＩＤ（ Radio Frequency Identification ）タグを取り付けたマンホール蓋として、特許文献１に記載の技術がある。この技術は、シリンダ状のアンテナコイルと制御部とを有し、アンテナコイルと制御部とが一体的に形成された非磁性の材料で作られた細長い密封体により密封され、更にその密封体の外周面が両端を開放し且つ長手方向に隙間を設けた金属製の筒体により被覆されたＲＦＩＤタグを、金属製のマンホール蓋の表面に設けた溝部に取り付けている。
【特許文献１】特開２００２−２３２３２１号公報
【考案の開示】
【考案が解決しようとする課題】
【０００３】
ところで、前記構造のＲＦＩＤタグ及びそのタグを取り付けたマンホール蓋においては、ＲＦＩＤタグはアンテナコイルや制御部を備えており、リードライト端末機により電磁波を利用して、このタグに記憶された下水道情報やマンホールの位置等を、非接触で読み出すことができるが、リードライト端末機とＲＦＩＤタグとの間で電磁波が安定せず、送受信される情報の読み出しや書き込みにエラーが発生する恐れがあった。
【０００４】
本考案は、このような問題に鑑みてなされたものであって、その目的とするところは、マンホール蓋に設置された情報記憶媒体とリードライト端末機との間で電磁波が安定して送受信でき、記憶情報の読み取りや情報の書き込みが安定して行えるマンホール蓋を提供することにある。
【課題を解決するための手段】
【０００５】
前記目的を達成すべく、本考案に係るマンホール蓋は、蓋体の表面に情報記憶媒体を固定したマンホール蓋であって、蓋体は情報記憶媒体を収容する凹部と、該凹部を巻回する外周壁部とを備えており、該外周壁部には、鉛直方向に少なくとも１つの切欠き部が形成されていることを特徴とする。情報記憶媒体としては、ＩＣチップやＲＦＩＤタグ等が用いられる。
【０００６】
前記のごとく構成された本考案のマンホール蓋は、ＩＣチップ、ＩＣタグ、ＲＦＩＤタグ等の情報記憶媒体は蓋体の凹部に収容固定され、凹部を巻回する外周壁部に切欠き部が形成されているため、この切欠き部及び凹部を巻回する外周壁部とＩＣタグ等の情報記憶媒体との空間を通して記憶情報の読み取りや、情報を書き込む電磁波が送受信できるため、安定して情報を書き込むことができると共に、記憶された情報を安定して読み出すことができる。また、携帯電話等の機器を用いて記憶された情報を読み出すことができ、専用サーバから関連情報をダウンロードすることにより、様々な用途に役立てることができる。
【０００７】
また、本考案に係るマンホール蓋の好ましい具体的な態様としては、前記情報記憶媒体は円盤状であり、前記外周壁部は円盤状情報記憶媒体の外周を巻回する円周壁部であり、該円周壁部の複数個所に前記切欠き部が形成されていることを特徴としている。このように構成されたマンホール蓋は、円盤状の情報記憶媒体を円周壁部によって形成された凹部に収容しやすく、固定も容易であり、円周壁部の複数個所に形成された切欠き部を通して情報の書き込み、情報の読み出しを行う電磁波が確実に送受信できる。
【０００８】
さらに、本考案に係るマンホール蓋において、情報記憶媒体が蓋体の凹部に弾性を有する接着剤で固定されていることが好ましい。このように構成されたマンホール蓋は、情報記憶媒体が蓋体の凹部にシリコーン樹脂等の弾性を有する接着剤により固定されているため、外部からの衝撃を緩和することができ、情報記憶媒体の損傷や破損を防ぐことができる。
【０００９】
本考案のマンホール蓋において、情報記憶媒体は、前記蓋体の凹部に収容固定された状態で、前記外周壁部の表面と同一面あるいは外周壁部の表面より僅かに凹んでおり、外周壁部より突出しないことが好ましい。すなわち、情報記憶媒体を収容する凹部を巻回する外周壁部の高さが情報記憶媒体の高さと等しいか、あるいは外周壁部の高さが情報記憶媒体の高さより高く設定されていることが好ましい。このように外周壁部を設定することにより、外部から衝撃が加わっても、外周壁部で衝撃を受けて情報記憶媒体に直接大きな衝撃が加わらないため、情報記憶媒体の破損や損傷を防ぐことができる。
【考案の効果】
【００１０】
本考案のマンホール蓋は、ＩＣタグやＲＦＩＤタグ等の情報記憶媒体を、その表面に固定しており、このような情報記憶媒体からの記憶された情報の読み出しや、情報の書き込み等のアクセスを確実に行なうことができる。そして、凹部に収容固定された情報記憶媒体の破損や損傷を防ぐことができる。
【考案を実施するための最良の形態】
【００１１】
以下、本考案に係るマンホール蓋の一実施形態を図面に基づき詳細に説明する。図１は本実施形態に係るマンホール蓋の正面図、図２は図１の背面図、図３は図１のＡ−Ａ線断面図、図４は図１のマンホール蓋のＢ部を部分的に拡大した状態の斜視図と、Ｃ−Ｃ線拡大断面図、図５はＩＣタグを示し、（ａ）は保護ケースとタグ本体とを分解した状態の斜視図、（ｂ）は（ａ）を組み立てた状態の断面図、図６はＩＣタグを蓋体の凹部に収容して固定した状態の断面図であり、図５のＩＣタグを上下反転して固定している。
【００１２】
図１〜５において、マンホール蓋Ｍは、蓋体１が鋳鉄で円盤状に形成され、その直径は装着されるマンホールの内径に合わせて設定される。マンホール蓋Ｍの表面には図示していない滑り止めの凹凸模様が形成される。マンホール蓋Ｍの中央部２に、図示していないが、例えば市町村の表示や、下水道、共同溝等の表示が鋳造時に形成する場合には、外周リング部を除いて環状部３に図示していない滑り止めの凹凸模様が形成される。蓋体１の裏面には、外周に肉厚の厚い外周リブ４が突出形成されており、外周リブに連結して縦横に補強リブ５，５，６，６が突出形成されている。本実施形態では縦２本の補強リブ５，５と、横２本の補強リブ６，６が形成されている。外周リブ４には、このマンホール蓋Ｍを固定するボルト用の取付部４ａが形成されている。
【００１３】
蓋体１の表面には、縦２本、横２本の補強リブの交差部分に対応して４つの凹部１０が形成されている。４つの凹部は情報記憶媒体としてＩＣタグ２０を収容するものである。本実施形態では、ＩＣタグ２０は図５に示されるように円盤状をしており、このＩＣタグは直径がＤ１で、高さがＨ１に形成されている。直径Ｄ１は３０〜３５ｍｍ程度であり、高さＨ１は４〜８ｍｍ程度に設定されている。ＩＣタグ２０はポリカーボネート樹脂等のプラスチックで形成された保護ケース２１にタグ本体２５が収容され、保護ケースはケース２２および蓋２３から形成されている。ＩＣタグ２０の保護ケース２１に密封状態に収容されるタグ本体２５は、情報を記憶する記憶部や、情報を電磁波で送受信するアンテナコイル等を備えている。タグ本体２５を収容する保護ケース２１は、耐候性が良好で衝撃に強く、絶縁体で誘電正接の小さい樹脂製が好ましい。
【００１４】
前記のようなＩＣタグ２０を収容できるように形成されている円形凹部１０は、図４に示されるように、開口部の直径Ｄ２がＩＣタグ２０の直径Ｄ１より大きく設定されている。また、凹部１０の深さＨ２（図４ｂ）はＩＣタグ２０の高さと同等、あるいは僅かに深く形成されている。凹部の底面はＩＣタグ１０の底面と同等の直径Ｄ１を有する平坦面１１に形成され、この直径Ｄ１の平坦面１１から直径Ｄ２まで上方（表面側）に向けて傾斜する４５度の傾斜面１２が形成されている。ＩＣタグ２０を収容する凹部１０は１つだけでもよいが、情報等を分別するように複数のＩＣタグを設置する場合は、各凹部の間隔Ｓは１００ｍｍ以上離して設定することが好ましい。本実施形態では４つの凹部が形成されている。
【００１５】
凹部１０の外周は外周壁部として円周壁部１３が形成されており、この円周壁部によりＩＣタグ２０を収容する凹部が形成される。円周壁部１３は幅Ｗが５ｍｍ程度に形成されており、滑り止め模様が形成される環状部３と凹部１０とを区分けしている。円周壁部１３は円盤状のＩＣタグ２０を収容したとき、このＩＣタグが表面より突出しないように、その高さ（凹部の深さＨ２）が設定される。すなわち、ＩＣタグ２０等の情報記憶媒体を凹部１０に収容固定したとき、ＩＣタグがマンホール蓋Ｍの表面から突出しないように、あるいは僅かに凹むように円周壁部１３の高さが設定され、外部からの衝撃がＩＣタグに直接加わらないように形成されＩＣタグの破損を防止している。
【００１６】
この円周状の円周壁部１３には９０度の間隔で４つの切欠き部１４，１４…が形成されている。切欠き部１４の深さＨ３はＩＣタグ２０の高さ程度、あるいは高さの半分程度に設定されるが、高さの半分以上の深さに形成されることが好ましい。本実施形態では１つの切欠き部１４の高さは４〜５ｍｍ程度、幅は１０ｍｍ程度に設定されている。切欠き部１４は４つに限定されるものでないが、等間隔で複数形成されることが好ましい。このようにＩＣタグ２０を収容する凹部１０の円周壁部１３に複数の切欠き部１４が形成されるため、収容されたＩＣタグ２０は、その側面が円周壁部１３から露出するように構成されている。なお、切欠き部１４の深さは、ＩＣタグ２０の内部にあるアンテナコイルが露出する程度の深さであれば、情報の書き込みや、読み出しを行う電磁波が安定して送受信されるため、機能的に問題ない。なお、図４に示す凹部１０を巻回する円周壁部１３や切欠き部１４は蓋体１を鋳物で形成するときに、中央部２内の表示や、環状部３の滑り止めの凹凸模様と共に同時に形成されるものである。
【００１７】
前記の如く構成された本実施形態のマンホール蓋Ｍの凹部１０にＩＣタグ２０を収容するときは、弾性を有する接着剤を用いて固定することが好ましい。凹部１０の平坦面１１に接着剤を塗布し、図６に示すように、ＩＣタグ２０を蓋体１の凹部１０内に収容すると、ＩＣタグ２０の底面は凹部底面の傾斜面１２にガイドされ、中央に位置して底面が平坦面１１と密着し、ＩＣタグ２０は凹部１０内に固定される。
【００１８】
この構成により、凹部１０の直径Ｄ２と、ＩＣタグ２０の直径Ｄ１との間に、円周壁部１３に沿って全周にわたって均等な隙間ｄが形成され、この隙間部分に例えばシリコーンシーラント等の弾性を有するコーキング剤１５を接着剤として注入してもよい。この結果、ＩＣタグ２０の外周面を弾性のあるコーキング剤１５で均一な厚さの弾性層を形成し、大きな衝撃が直接ＩＣタグに加わることを防止している。また、ＩＣタグ２０の外周をコーキング剤からなる絶縁層で取り巻いており、情報の読み取りや、書き込みが安定して行え、隙間ｄは２〜３ｍｍ程度が好ましい。そして、ＩＣタグ２０は、その外周を切欠き部１４を除く円周壁部１３で囲まれているため、固定状態が安定する。
【００１９】
このようにして、蓋体１の凹部１０に収容され、コーキング材１５で接着固定されたＩＣタグ２０は、円周状の円周壁部１３により外周を取り囲まれるが、この壁部には４つの切欠き部１４が形成されているため、ＩＣタグ２０の側面が鋳鉄製の円周壁部１３から露出する。これにより、蓋体１に固定されたＩＣタグ２０は表面が露出すると共に、切欠き部１４によりその側面が露出し、このＩＣタグと送受信する電磁波Ｅが金属製の壁部１３で遮られることがなくなり、ＩＣタグ２０に記憶された情報の読み出しや、ＩＣタグ２０への情報の書き込みが確実に行える。また、ＩＣタグ２０は弾性を有する接着剤により固定されており、ＩＣタグの外周に均一に注入されたコーキング剤１５に刃物等で切り込みを入れることで容易に取り外すこともでき、補修や交換が容易に行える。
【００２０】
蓋体１の凹部１０に収容固定されたＩＣタグ２０は、その保護ケース２１が円周壁部１３により周囲を保護されており、円周壁部１３とＩＣタグ２０との間に弾性を有するコーキング材１５が注入されて固定されていると共に、ＩＣタグ２０は円周壁部１３から上方に突出することがないように、壁部１３の高さが設定されているため、マンホール蓋Ｍの表面を車両のタイヤや歩行者の履物が接触しても、弾性接着剤により緩和されて大きな衝撃が加わることを防止でき、ＩＣタグ２０の損傷や破損を防止することができる。
【００２１】
このように、情報記憶媒体としてＩＣタグ２０を固定したマンホール蓋Ｍは、災害時における道路埋設物の管理として、例えば基準となる位置座標を活用することができる。また、携帯電話やＰＤＡにＩＣタグリーダーやＲＦＩＤタグリーダーを取り付け、記憶された情報を容易に確認することができる。さらに読み込まれたデータから携帯電話で専用サイトにアクセスすることで、詳細な空間データを取得することができるため、補修やメンテナンスの履歴を容易に確認することもできる。
【００２２】
以上、本考案の一実施形態について詳述したが、本考案は、前記の実施形態に限定されるものではなく、特許請求の範囲に記載された本考案の精神を逸脱しない範囲で、種々の設計変更を行うことができるものである。例えば、マンホール蓋を構成する蓋体として鋳鉄製の蓋体の例を示したが、鋳鉄以外の金属鋳物や、金属鋳物の中央部や環状部の段差部分にコンクリートを注入した蓋体等で構成してもよい。補強リブの形状は、縦横２本の補強リブを示したが、リング状や放射状等、適宜の形状を用いることができる。
【００２３】
情報記憶媒体として、円盤状のＩＣタグ２０の例を示したが、形状としては円盤状に限らず、平板状、円筒状、直方体状等、適宜の形状に形成することができる。そして、情報記憶媒体を収容する凹部１０の形状は、情報記憶媒体の形状に合わせて設定することが好ましい。また、複数のＩＣタグを１つのマンホール蓋に固定する場合、色分けして管理しやすいように区別すると好適である。
【００２４】
また、タグ本体２５を樹脂製のケース２２と蓋２３からなる保護ケース２１に収納する例を示したが、タグ本体を樹脂中に埋め込んでインサート成型によりＩＣタグを構成してもよい。さらに、金属製の保護ケースにタグ本体を収納し、電磁波の送受信部の金属部を取り除き、その部分から電磁波の送受信を行うように構成してもよい。
【産業上の利用可能性】
【００２５】
本考案の活用例として、下水道を管理するマンホールの他に、地中配線施設や共同溝を管理するマンホールの蓋体としての用途にも適用できる。
【図面の簡単な説明】
【００２６】
【図１】本考案に係るマンホール蓋の一実施形態の正面図。
【図２】図１の背面図。
【図３】図１のＡ−Ａ線断面図。
【図４】（ａ）は図１のＢ部を部分的に拡大した状態の斜視図、（ｂ）は（ａ）のＣ−Ｃ線拡大断面図。
【図５】ＩＣタグを示し、（ａ）は保護ケースとタグ本体とを分解した状態の斜視図、（ｂ）は（ａ）を組み立てた状態の断面図。
【図６】ＩＣタグを蓋体の凹部に収容して固定した状態の断面図。
【符号の説明】
【００２７】
１：蓋体、１０：凹部、１１：平坦面、１２：傾斜面、１３：円周壁部（外周壁部）、１４：切欠き部、１５：コーキング剤（接着剤）、２０：ＩＣタグ（情報記憶媒体）、２５：タグ本体、Ｍ：マンホール蓋、Ｄ１：ＩＣタグの直径、Ｄ２：凹部の直径、Ｈ１：ＩＣタグの高さ、Ｈ２：凹部の深さ、Ｈ３：切欠き部の深さ
【図１】
0003120371.tif 000003
【図２】
0003120371.tif 000004
【図３】
0003120371.tif 000005
【図４】
0003120371.tif 000006
【図５】
0003120371.tif 000007
【図６】
0003120371.tif 000008